(57)【要約】【課題】熱線センサが人体からの熱線を検出していないときに真っ暗になることを防止するとともに、必要に応じて、すべての照明負荷を熱線センサに連動させて制御する。【解決手段】この熱線センサ付スイッチ１は、商用電源ＡＣからの電力が供給されると点灯する照明器具２，３と接続し、信号処理部１２による制御で、照明器具２への電力の供給を、人体からの熱線を検出する熱線センサ４に基づく検知信号に応じて制御するとともに、照明器具３への電力の供給を、熱線センサ４の検出に基づく検知信号に応じて制御したり、若しくは常に許諾したりする。【選択図】図１
2006040730.tif 000002
【特許請求の範囲】
【請求項１】
商用電源からの電力が供給されると点灯する複数の照明負荷と接続し、
人体からの熱線を検出する熱線センサと、
前記複数の照明負荷のうち少なくとも一の照明負荷への前記電力の供給を、前記熱線センサの検出に応じて制御するとともに、前記複数の照明負荷うち他の照明負荷への前記電力の供給を、前記熱線センサの検出に応じて制御する、若しくは常に許諾する制御手段と
を備えることを特徴とする熱線センサ付スイッチ。
【請求項２】
外部機器と接続し、
前記制御手段は、前記熱線センサの検出及び前記外部機器からの外部信号に応じて、前記複数の照明負荷への前記電力の供給を制御することを特徴とする請求項１記載の熱線センサ付スイッチ。
【請求項３】
前記外部機器を照度センサとし、
前記制御手段は、前記照度センサが検出した照度が予め決められた照度より大きいと判断した場合に、前記複数の照明負荷への電力の供給を、前記熱線センサの検出に応じて制御する、若しくは、常に禁止することを特徴とする請求項２記載の熱線センサ付スイッチ。
【発明の詳細な説明】
【技術分野】
【０００１】
本発明は、例えば、熱線センサの検出に基づいて照明負荷を制御する熱線センサ付スイッチに関するものである。
【背景技術】
【０００２】
熱線センサ付スイッチは、人体からの熱線の変化を検出し、その検出に基づいて人の移動を検知する熱線センサ（例えばＰＩＲ（Ｐａｓｓｉｖｅ  Ｉｎｆｒａｒｅｄ）センサなど）を一体に備え、この熱線センサからの検知信号に基づいて、例えば照明器具などの負荷を自動で制御する自動スイッチである。
【０００３】
従来、図５（ａ）のように、熱線センサ付スイッチ８０と、照明器具２…とを備える照明システムの場合、熱線センサの検知範囲から人がいなくなったり、熱変化を検出して、一定時間が過ぎたりすると、すべての照明器具２…が消灯し、真っ暗になってしまう。
【０００４】
上記のような状態を防止するための一例として、図６（ａ）に示すように、調光制御に対応した照明器具８２と、この照明器具８２を制御する熱線センサ付スイッチ８３とを備える照明システムがある。この照明システムは、熱線センサの検知範囲から人がいなくなったり、熱変化を検出して、一定時間が過ぎたりすると、熱線センサ付スイッチは、照明器具８２に調光信号８４を送信して調光制御を行い、照明器具８２の照度を下げて点灯する。図６（ｂ）には、時間に対する検知信号及び照明器具８２の明るさを示しているが、熱線センサから検知信号が出力されてから予め設定された遅れ時間Ｔでは、照明器具８２は明るく点灯し、その後、消灯せずに照度を下げて点灯する。
【０００５】
また、他の例として、図５（ｂ）に示すように、スイッチ８１をオンにすると常に照明器具３…を点灯させる照明システムと、図５（ａ）の照明システムとを同時に用いて、図５（ｃ）のように、例えば部屋８５などに、熱線センサに連動して点灯する照明器具２の間に、常に点灯する照明器具３を設置して用いるものもある。
【０００６】
なお、特許文献１には、センサ子器が人を検知しているときに、１つの親機からの制御により、照明負荷のうちの一部のみをオン・オフできるようにする負荷制御システムが開示されている。
【特許文献１】特開平１０−６４６８１号公報（第３頁−第８頁、及び、第１図）
【発明の開示】
【発明が解決しようとする課題】
【０００７】
しかしながら、上記従来の照明システムに設けられる熱線センサ付スイッチなどは、以下のような問題があった。上記調光制御を行う熱線センサ付スイッチの場合、調光制御に対応した照明負荷（照明器具）に限定されるという問題があった。また、上記常に照明負荷を点灯させる照明システムを別に設けた場合、必要に応じて、すべての照明負荷を熱線センサに連動させて制御することができないという問題があった。
【０００８】
本発明は上記の点に鑑みて為されたものであり、その目的とするところは、熱線センサが人体からの熱線を検出していないときに真っ暗になることを防止することができるとともに、必要に応じて、すべての照明負荷を熱線センサに連動させて制御することができる熱線センサ付スイッチを提供することにある。
【課題を解決するための手段】
【０００９】
請求項１に記載の発明は、商用電源からの電力が供給されると点灯する複数の照明負荷と接続し、人体からの熱線を検出する熱線センサと、前記複数の照明負荷のうち少なくとも一の照明負荷への前記電力の供給を、前記熱線センサの検出に応じて制御するとともに、前記複数の照明負荷うち他の照明負荷への前記電力の供給を、前記熱線センサの検出に応じて制御する、若しくは常に許諾する制御手段とを備えることを特徴とする。
【００１０】
この構成では、熱線センサが人体からの熱線を検出していないときに真っ暗になることを防止することができるとともに、必要に応じて、すべての照明負荷を熱線センサに連動させて制御することができる。
【００１１】
請求項２に記載の発明は、請求項１に記載の発明において、前記制御手段は、前記熱線センサの検出及び外部機器からの外部信号に応じて、前記複数の照明負荷への前記電力の供給を制御することを特徴とする。この構成では、外部機器からの外部信号に応じて、照明負荷の点灯状態を制御することにより、用途に応じて細やかな制御ができるので、ユーザが不快感を感じることなく省エネを図ることができる。
【００１２】
請求項３に記載の発明は、請求項２に記載の発明において、前記外部機器を照度センサとし、前記制御手段は、前記照度センサが検出した照度が予め決められた照度より大きいと判断した場合に、前記複数の照明負荷への電力の供給を、前記熱線センサの検出に応じて制御する、若しくは、常に禁止することを特徴とする。この構成では、使用場所の照度に応じて、複数の照明負荷を熱線センサの検出に応じて制御したり、複数の照明負荷を消灯したりすることにより、用途に応じて細やかな制御ができるので、ユーザが不快感を感じることなく省エネを図ることができる。
【発明の効果】
【００１３】
本発明によれば、熱線センサが人体からの熱線を検出していないときに真っ暗になることを防止することができるとともに、必要に応じて、すべての照明負荷を熱線センサに連動させて制御することができる。
【発明を実施するための最良の形態】
【００１４】
（実施形態１）
先ず、実施形態１の基本的な構成について説明する。実施形態１の熱線センサ付スイッチ１は、図２に示すように、照明器具２…，３…と共に照明システムＳを構成し、これらの照明器具２…，３…を制御する。
【００１５】
照明器具２…，３…は、例えば蛍光灯などであり、熱線センサ付スイッチ１と接続し、商用電源ＡＣからの電力が供給されると点灯する。
【００１６】
熱線センサ付スイッチ１は、図１に示すように、電源回路１０、センサ検知部（熱線センサ４を除く）１１、信号処理部１２、出力駆動部１３をボックス１４（図２参照）内に備えるとともに、操作部５、明るさセンサ６、センサ検知部１１内の熱線センサ４をプレート１５（図３参照）に備えている。上記熱線センサ付スイッチ１は、例えば、ボックス１４を天井（図示せず）の内部に埋め込み、プレート１５の下面を天井の表面に露出するようにして設置される。また、熱線センサ付スイッチ１は、タイマ７（図２参照）と接続するとともに、電源端子１６、主回路端子１７、副回路端子１８において、それぞれ商用電源ＡＣ、照明器具２，３と接続している。
【００１７】
電源回路１０は、センサ検知部１１、信号処理部１２、出力駆動部１３、明るさセンサ６と接続するとともに、電源端子１６を介して商用電源ＡＣと電気的に接続し、上記商用電源ＡＣからの電力をセンサ検知部１１、信号処理部１２、出力駆動部１３、明るさセンサ６に出力している。
【００１８】
センサ検知部１１は、熱線センサ４、コンパレータ部１１０、信号処理部１１１を備え、電源回路１０及び信号処理部１２と接続し、この電源回路１０から供給される電力により動作している。熱線センサ４は、例えばＰＩＲセンサであり、プレート１５下面の中央部に備えられ、人体からの熱線を検出する（図３参照）。コンパレータ部１１０及び信号処理部１１１は、熱線センサ４が上記熱線を検出したときに、検知信号を作成し、その検知信号を信号処理部１２に出力する。
【００１９】
信号処理部１２は、電源回路１０、センサ検知部１１、出力駆動部１３、操作部５、明るさセンサ６、タイマ７と接続し、電源回路１０から供給される電力により動作している。上記操作部５は、図３に示すように、例えば、手動スイッチ５０、シーン切替（図３では「外部信号シーン切替」）用つまみ５１、動作保持時間用つまみ５２、明るさセンサパターン切替スイッチ５３を、プレート１５下面の熱線センサ４の周囲に備え、ユーザの操作に基づく操作信号を信号処理部１２に出力している。
【００２０】
図１に示す信号処理部１２は、ユーザが手動スイッチ５０（図３参照）を「切」に設定すると、この熱線センサ付スイッチ１の動作を停止し、手動スイッチ５０を「連続入」に設定すると、常に照明器具２，３を点灯させるような制御信号を出力駆動部１３に出力する。これらに対して、ユーザが手動スイッチ５０を「自動」に設定すると、信号処理部１２は、センサ検知部１１から検知信号を入力し、その検知信号に基づく制御信号を出力駆動部１３に出力する。
【００２１】
また、信号処理部１２は、表１に示すような通常モード（表１では、通常（自動））、第１モード（ＭＯＤＥ  １）の状態、第２モード（ＭＯＤＥ  ２）の状態、オン（ＯＮ）状態、オフ（ＯＦＦ）状態における照明器具２，３の動作を記憶部（図示せず）に記憶している。なお、表１において、主回路及び副回路（間引回路）とは、それぞれ照明器具２が接続されている回路、及び照明器具３が接続されている回路を表している。また、熱線センサ欄の○印は熱線の検出、×印は熱線の未検出を表し、主回路及び副回路欄の○印は、接続されている照明器具の点灯、×印は、接続されている照明器具の消灯を表している。
【００２２】
【表１】
2006040730.tif 000003
【００２３】
信号処理部１２は、通常モードの状態では、照明器具２への電力の供給を、熱線センサ４による熱線の検出に応じて制御するとともに、照明器具３への電力の供給を、常に許諾するような制御信号を出力駆動部１３に出力する。上記通常モードの状態が設定される場面として、例えば店舗のショーウインドウのある通路などに設置されたときがあり、閉店時間後であっても、真っ暗にならないように常に照明器具３を点灯させ、人が通過するとすべての照明器具２，３を点灯させることができる。なお、他の例として、例えば会社の就業時間後、学校の授業終了後などがある。
【００２４】
第１モードの状態では、照明器具２，３への電力の供給を、熱線センサ４による熱線の検出に応じて制御するような制御信号を出力駆動部１３に出力する。第１モードの状態が設定される場面として、例えば、会社の就業時間後、学校の授業終了後、店舗の閉店後などにおいて、不特定の人が入れるような場所に設置されたときがあり、このような場所では人がいないときは照明器具２，３を消灯させる。しかし、人を検知すると、防犯上、すべての照明器具２，３を点灯させることができる。
【００２５】
第２モードの状態では、照明器具２への電力の供給を、常に禁止するとともに、照明器具３への電力の供給を、常に許諾するような制御信号を出力駆動部１３に出力する。第２モードの状態が設定される場面として、例えば店舗のショーウインドウのある通路などに設置されたときがあり、閉店時間後であっても、照明器具３のみを点灯させて、ショーウインドウを明るくしてユーザが見えるようにすることができる。なお、他の例として、例えば会社の就業時間後、学校の授業終了後などがある。
【００２６】
また、照明器具２，３への電力の供給を、熱線センサ４の検知に関わらず、オン状態では常に許諾し、オフ状態では常に禁止する。オン状態が設定される場面として、例えば、会社の就業時間中、学校の授業時間中、店舗の営業時間中などがある。これに対して、オフ状態が設定される場面として、例えば会社の就業時間後の事務所などがあり、深夜に、上記事務所があるビルを閉めたときに、すべての照明器具２，３を消灯させることができる。なお、他の例として、例えば学校の授業終了後、店舗の閉店時間後などがある。
【００２７】
通常は、通常モードの状態に設定され、図３に示すように、ユーザがシーン切替つまみ５１を操作することにより、第１モード（図３ではＭ１）の状態、第２モード（Ｍ２）の状態、オン（ＯＮ）状態、オフ（ＯＦＦ）状態に切り替える。なお、シーン切替つまみ５１の突部５１０が上記４つの状態のいずれにも合わされていないときは、通常モードの状態に設定される。
【００２８】
また、センサ検知部１１（図１参照）からの検知信号がオフになってからも一定時間、制御信号を、信号処理部１２（図１参照）から出力駆動部１３（図１参照）に出力するために、ユーザが動作保持時間用つまみ５２を用いて保持時間を設定する。信号処理部１２は、上記設定された動作保持時間の情報を含む信号を入力し、その動作保持時間に基づいて制御信号を出力駆動部１３に出力する。なお、動作保持時間は、限定されるものではなく、実施形態１では、１０秒から３０秒まで設定可能としている。さらに、信号処理部１２は、ユーザが明るさセンサパターン切替スイッチ５３を「切」から「Ｐ１」若しくは「Ｐ２」に設定すると、明るさセンサ６から後述する明るさ制御信号が入力される。
【００２９】
出力駆動部１３は、図１に示すように、電源回路１０、信号処理部１２と接続するとともに、主回路端子１７及び副回路端子１８を介して照明器具２，３と電気的に接続し、信号処理部１２からの照明器具２，３に対する制御信号に基づいて、照明器具２，３への電力のオンオフを行う。
【００３０】
また、タイマ７は、信号処理部１２と接続する外部機器であり、ユーザが時刻若しくは時間を設定し、その設定に基づく外部信号を信号処理部１２に出力する。
【００３１】
明るさセンサ６も、信号処理部１２と接続する外部機器である。ただし、図３に示すように、プレート１５の中央部に、熱線センサ４とともに備えられ、周囲の照度を検出し、その検出結果に基づく照度信号を信号処理部１２（図１参照）に出力する。
【００３２】
次に、実施形態１の熱線センサ付スイッチ１の動作について図１を用いて説明する。先ず、通常モードの状態での動作について説明する。最初に、ユーザがシーン切替スイッチ５１の突部５１０（図３参照）を「Ｍ１」、「Ｍ２」、「ＯＮ」、「ＯＦＦ」のいずれの位置にも合わせないように設定する。熱線センサ４が人体からの熱線を検出すると、信号処理部１２の制御により、照明器具２，３に電力を供給し、照明器具２，３を点灯させる。熱線センサ４の検出が終了し、ユーザが動作保持時間設定つまみ５２（図３参照）を操作して決められた一定時間を経過すると、照明器具２への電力の供給を禁止し、照明器具３にのみ電力を供給する。これにより、照明器具２を消灯させ、照明器具３を続けて点灯させる。上記より、人がいなくなったとしても真っ暗になることがない。
【００３３】
次に、第１モードの状態での動作について説明する。最初に、ユーザがシーン切替スイッチ５１の突部５１０（図３参照）を「Ｍ１」の位置に設定する。熱線センサ４が人体からの熱線を検出すると、信号処理部１２の制御により、照明器具２，３に電力を供給し、照明器具２，３を点灯させる。熱線センサ４の検出が終了し、ユーザが動作保持時間設定つまみ５２（図３参照）を操作して決められた一定時間が経過すると、照明器具２，３への電力の供給を禁止し、照明器具２，３を消灯させる。上記より、照明器具２，３ともに熱線センサ４に連動させて制御することができる。
【００３４】
以上、実施形態１によれば、照明器具２，３が調光制御に対応していない器具であっても、熱線センサ４が人体からの熱線を検出していないときに真っ暗になることを防止することができるとともに、必要に応じて、すべての照明器具２，３を熱線センサ４に連動させて制御することができる。
【００３５】
なお、実施形態１の変形例として、明るさセンサを、プレートとは別の位置に独立して備えてもよい。
【００３６】
（実施形態２）
実施形態２は、実施形態１と同様の照明システムＳを用いて、熱線センサ４の検出及びタイマ７の設定によって照明器具２，３を制御する場合について説明する。実施形態２の信号処理部１２は、実施形態１の信号処理部１２と異なる点として、熱線センサ４の検出に基づく検知信号及びタイマ７からの外部信号に応じて、照明器具２，３への電力の供給を制御する。
【００３７】
次に、実施形態２の熱線センサ付スイッチ１の動作について説明する。最初に、ユーザがシーン切替つまみ５１の突部５１０（図３参照）を「Ｍ１」の位置に設定し、タイマ７の設定時刻をセットする操作を行う。この状態では、通常モードの状態であり、ユーザがセットした設定時刻になると、タイマ７からの外部信号が信号処理部１２に送信され、信号処理部１２は、通常モードの状態から第１モードの状態に切り替える。
【００３８】
同様にして、タイマ７の設定により、設定時刻になると、通常モードの状態からオン状態若しくはオフ状態に切り替えることができる。
【００３９】
これにより、時間に応じて、照明器具２，３の用途が異なる場合であっても、タイマ７から外部信号が入力されたときに、用途に応じて、表１のように照明器具２，３の点灯状態を変更することができる。上記より、例えば、会社の就業時間後や店舗の閉店時間後に、第１モード又は第２モードの状態による制御を開始させたり、店舗の開店時間時にオン状態による制御を開始させたり、ビルを閉めたときにオフ状態による制御を開始させたりすることができる。
【００４０】
以上、実施形態２によれば、タイマ７からの外部信号に応じて、照明器具２，３の点灯状態を制御することにより、用途に応じて細やかな制御ができるので、ユーザが不快感を感じることなく省エネを図ることができる。
【００４１】
なお、実施形態２の変形例として、外部機器としてＥＥスイッチを設けてもよい。このような構成では、ＥＥスイッチのオンオフに応じて、照明器具の点灯状態を、通常モードの状態からユーザがシーン切替スイッチにより設定した状態に切り替えることができる。
【００４２】
また、実施形態２の他の変形例として、タイマを熱線センサ付スイッチに内蔵して設けてもよい。
【００４３】
（実施形態３）
実施形態３は、実施形態１と同様の照明システムＳを用いて、熱線センサ４及び明るさセンサ６の検出によって照明器具２，３を制御する場合について説明する。実施形態３の信号処理部１２は、実施形態１の信号処理部１２と異なる点として、明るさセンサ６が検出した照度が予め決められた照度より大きいと判断した場合に、照明負荷２，３への電力の供給する。
【００４４】
信号処理部１２は、表２に示すような第１パターン（表２ではパターン１）、第２パターン（パターン２）の状態、オフ（明るさ  切）の状態における照明器具２，３の動作を記憶部（図示せず）に記憶し、表２に示すようなパターンの状態に切り替えて制御する。なお、表２において、主回路及び副回路（間引回路）とは、それぞれ照明器具２が接続されている回路、及び照明器具３が接続されている回路を表している。また、熱線センサ欄の○印は熱線の検出、×印は熱線の未検出を表し、主回路及び副回路欄の○印は、接続されている照明器具の点灯、×印は、接続されている照明器具の消灯を表している。
【００４５】
【表２】
2006040730.tif 000004
【００４６】
信号処理部１２は、第１パターンの状態では、照明器具２，３への電力の供給を、常に禁止するような制御信号を出力駆動部１３に出力する。上記第１パターンの状態が設定される場面として、例えば採光が充分取れる廊下などに設置されてときがある。このような場所において、明るいときは、熱線センサ４が人体からの熱線を検出したとしても照明器具２，３を点灯させる必要がない。また、第２パターンの状態では、照明器具２，３への電力の供給を、熱線センサ４による熱線の検出に応じて制御するような制御信号を出力駆動部１３に出力する。上記第２パターンの状態が設定される場面として、例えば、ある程度の採光が取れ、不特定の人が通行するＥＶホールなどに設置したときがある。このような場所において、熱線センサ４が人体からの熱線を検出しないときは、真っ暗にならないので、照明器具２，３を点灯させる必要がない。しかし、不特定の人が通行したときに、あまり明るくないのは防犯上よくないので、人体からの熱線を検出したときは、すべての照明器具２，３を点灯させる。
【００４７】
次に、実施形態３の熱線センサ付スイッチ１の動作について説明する。先ず、ユーザが明るさセンサパターン切替スイッチ５３（図３参照）を「Ｐ１」の位置に設定した場合、明るさセンサ６が一定以上の照度を検出したとき、熱線センサ４が人体からの熱線を検出したとしても、照明器具２，３への電力の供給を禁止し、照明器具２，３を点灯させない。これにより、周囲が明るい場合に、照明器具２，３の点灯を禁止し、省エネを図ることができる。
【００４８】
これに対して、ユーザが明るさセンサパターン切替スイッチ５３を「Ｐ２」の位置に設定した場合、明るさセンサ６が一定以上の照度を検出したとき、熱線センサ４が人体からの熱線を検出すると、照明器具２，３への電力の供給を許諾し、照明器具２，３を点灯させ、熱線センサ４が熱線を検出しなくなると、照明器具２，３への電力の供給を禁止し、照明器具２，３を点灯させない。
【００４９】
以上、実施形態３によれば、使用場所により、採光が充分取れる場所と、そうでない場所とがあるが、上記使用場所の照度に応じて、照明器具２，３を熱線センサ４による熱線の検出に応じて制御したり、照明器具２，３を消灯したりすることにより、用途に応じて細やかな制御ができるので、ユーザが不快感を感じることなく省エネを図ることができる。
【００５０】
なお、実施形態１〜３のいずれかの変形例として、図４に示すように、センサ検知部１１を別に設けて、センサ子器４０としてもよい。このような構成にすると、スイッチ全体を設置する大きさを有する場所がなくても、センサ子器４０のみを設置し、スイッチ本体を別の場所に設置することができる。なお、図４のような構成においても図１と同様に、操作部及び明るさセンサを備えている。
【図面の簡単な説明】
【００５１】
【図１】本発明による実施形態１の照明システムのブロック図である。
【図２】同上の照明システムの構成図である。
【図３】同上の熱線センサ付スイッチの下面図である。
【図４】同上の他の照明システムのブロック図である。
【図５】従来の照明システムであって、（ａ）は熱線センサの検出により制御される照明器具のみを接続したときの構成図、（ｂ）はスイッチにより制御される照明器具のみを接続したときの構成図、（ｃ）は照明器具の配置図である。
【図６】同上の他の照明システムであって、（ａ）は構成図、（ｂ）は動作を表す図である。
【符号の説明】
【００５２】
１  熱線センサ付スイッチ
１２  信号処理部
２，３  照明器具
４  熱線センサ
６  明るさセンサ
７  タイマ
ＡＣ  商用電源
【図１】
2006040730.tif 000005
【図２】
2006040730.tif 000006
【図３】
2006040730.tif 000007
【図４】
2006040730.tif 000008
【図５】
2006040730.tif 000009
【図６】
2006040730.tif 000010